(57)【要約】      （修正有）【課題】充分安価に製造することができるにも拘わらず、捕獲対象小動物がキョンである場合でも、効果的に捕獲することができる小動物捕獲器を提供する。【解決手段】小動物捕獲器２は、間隔をおいて配設された一対の支持柱１０ａ，１０ｂを有する支持基台４と、片端部が一対の支持柱１０ａ，１０ｂの片方に離脱自在に支持され、他端部が一対の支持柱１０ａ，１０ｂの他方に離脱自在に支持されて一対の支持柱１０ａ，１０ｂ間を真直に延在する巻付き部材６と、片端部が巻付き部材に連結される巻付き部材拘束手段とを備える。巻付き部材６は、真直に延在する状態においてその中央部前面に押圧力が作用するとそれ自身の形状復元特性によってロール状態に変形する。【選択図】図１
2020130019.tif 000002
【特許請求の範囲】
【請求項１】
間隔をおいて配設された一対の支持柱を有する支持基台と、片端部が該一対の支持柱の片方に離脱自在に支持され他端部が該一対の支持柱の他方に離脱自在に支持されて該一対の支持柱間を真直に延在する巻付き部材と、片端部が該巻付き部材に連結される巻付き部材拘束手段とを備え、
該巻付き部材は、真直に延在する状態においてその中央部前面に押圧力が作用するとそれ自身の形状復元特性によってロール状態に変形する、
ことを特徴とする小動物捕獲器。
【請求項２】
該一対の支持柱の各々の上端部には相互に対向する対向面及び上面に開口する収容溝が形成されており、該巻付き部材の片端部及び他端部は該収容溝内に収容される、請求項１記載の小動物捕獲器。
【請求項３】
該一対の支持柱の該片方又は該他方の該収容溝に着脱自在に挿入される離脱抵抗片を含む、請求項２記載の小動物捕獲器。
【請求項４】
該一対の支持柱の各々に形成されている該収容溝は、上方に向かって前方に傾斜して延在する、請求項２又は３記載の小動物捕獲器。
【請求項５】
該支持基台は平坦な支持板を含み、該一対の支持柱は該支持板の上面から相互に平行に起立せしめられている、請求項１記載の小動物捕獲器。
【請求項６】
該一対の支持柱の各々は、該支持板に対する傾斜角度を調節自在に該支持板に装着されている、請求項５記載の小動物捕獲器。
【請求項７】
該巻付き部材はばね鋼から形成され、少なくとも片面には摩擦抵抗増大材が施されている、請求項１から６までのいずれかに記載の小動物捕獲器。
【発明の詳細な説明】
【技術分野】
【０００１】
本発明は、シカ科の外来生物であるキョンの如き小動物を捕獲するための小動物捕獲器に関する。
【背景技術】
【０００２】
シカ科の外来生物であるキョンが、特に千葉県南部において爆発的に増え続けて農作物に多大な被害が発生している。そこで、キョンを捕獲して駆除する対策が検討されているが、未だ充分な成果が得られていない。胴長が７０乃至８０ｃｍ、体高が３５乃至４０ｃｍ、体重が７乃至１０ｋｇ程度であるキョンの如き小動物を捕獲するための捕獲器としては、一般に「はこわな」と称されている捕獲器、即ち金網製の捕獲籠内に米等の食物を収納しておいて小動物が食物を狙って捕獲籠内に進入すると入口の扉が閉じて捕獲籠内に小動物を閉じ込める形態の捕獲器、が使用されている。そしてまた、一般に「くくりわな」と称されている捕獲器、即ち小動物の脚の先端部が踏み込まれると脚にワイヤが巻付く形態の捕獲器も使用されている。
【発明の概要】
【発明が解決しようとする課題】
【０００３】
然るに、現在提案されている上記のとおりの小動物捕獲器は、特にキョンに対しては充分な捕獲効果が得られていない。「はこわな」と称される捕獲器の場合には、草食獣であるキョンに対する有効な食物が検討されているが、未だ適切な食物が特定されていないのが現状である。加えて、「はこわな」と称されている捕獲器は製造コストが必ずしも安価でない。他方、「くくりわな」と称されている捕獲器の場合には、キョンの脚の先端部の形態が比較的堅く且つ滑りやすいことに起因して、巻付いたワイヤからキョンの脚が容易に離脱されてしまう傾向がある。
【０００４】
本発明は上記のとおりの事実に鑑みてなされたものであり、その主たる技術的課題は、充分安価に製造することができるにも拘わらず、捕獲対象小動物がキョンである場合でも、効果的に捕獲することができる、新規且つ改良された小動物捕獲器を提供することである。
【課題を解決するための手段】
【０００５】
本発明者は、鋭意検討及び実験の結果、「形状記憶板ばね」或いは「パッチンプレス」と俗称されている巻付き部材、即ち真直に延在する状態においてその中央部前面に押圧力が作用するとそれ自身の形状復元特性によってロール状態に変形する巻付き部材を利用した小動物捕獲器によって、上記主たる技術的課題を達成することができることを見出した。
【０００６】
即ち、本発明によれば、上記主たる技術的課題を達成することができる小動物捕獲器として、
間隔をおいて配設された一対の支持柱を有する支持基台と、片端部が該一対の支持柱の片方に離脱自在に支持され他端部が該一対の支持柱の他方に離脱自在に支持されて該一対の支持柱間を真直に延在する巻付き部材と、片端部が該巻付き部材に連結される巻付き部材拘束手段とを備え、
該巻付き部材は、真直に延在する状態においてその中央部前面に押圧力が作用するとそれ自身の形状復元特性によってロール状態に変形する、
ことを特徴とする小動物捕獲器が提供される。
【０００７】
好ましくは、該一対の支持柱の各々の上端部には相互に対向する対向面及び上面に開口する収容溝が形成されており、該巻付き部材の片端部及び他端部は該収容溝内に収容される。該一対の支持柱の該片方又は該他方の該収容溝に着脱自在に挿入される離脱抵抗片を含むのが好適である。該一対の支持柱の各々に形成されている該収容溝は、上方に向かって前方に傾斜して延在するのが望ましい。該支持基台は平坦な支持板を含み、該一対の支持柱は該支持板の上面から相互に平行に起立せしめられているのが好都合である。好ましくは、該一対の支持柱の各々は、該支持板に対する傾斜角度を調節自在に該支持板に装着されている。該巻付き部材はばね鋼から形成され、少なくとも前面には摩擦抵抗増大材が施されているのが好適である。
【発明の効果】
【０００８】
本発明の小動物捕獲器によれば、比較的簡潔な構成であって比較的安価に製造することができるにも拘らず、キョンの如き小動物の脚が巻付き部材の中央部前面に衝突して押圧力加えられると、巻付き部材がロール状に変形して小動物の脚の先端部よりも幾分上方の部分に巻付いて小動物の脚を確実に拘束し、かくして小動物が捕獲される。
【図面の簡単な説明】
【０００９】
【図１】本発明に従って構成された小動物捕獲器の好適実施形態を示す斜面図。
【図２】図１に示す小動物捕獲器における支持基台を示す斜面図。
【図３】図１に示す小動物捕獲器における巻付き部材を示す斜面図。
【図４】図３に示す巻付き部材の線Ａ−Ａに沿った横断面図。
【図５】図３に示す巻付き部材がロール状態に変形した状態を示す斜面図。
【図６】図３に示す巻付き部材がロール状態ではなくめがね状態に変形した状態を示す斜面図。
【図７】図１に示す小動物捕獲器における巻付き部材がキョンの脚に巻付いた状態を示す部分斜面図。
【図８】本発明に従って構成された小動物捕獲器の他の好適実施形態を示す側面図。
【発明を実施するための形態】
【００１０】
以下、本発明に従って構成された小動物捕獲器の好適実施形態を示す添付図面を参照して、更に詳細に説明する。
【００１１】
図１には、本発明に従って構成された小動物捕獲器の好適実施形態が図示されている。全体を番号２で示す小動物捕獲器は支持基台４と巻付き部材６とを具備している。
【００１２】
図示の実施形態における支持基台４は、平坦な支持板８とこの支持板８の上面から相互に平行に起立せしめられている一対の支持柱１０ａ及び１０ｂから構成されている。木材、合成樹脂或いは金属から形成することができる支持板８は矩形状の平板形状である。同様に木材、合成樹脂或いは金属から形成することができる一対の支持柱１０ａ及び１０ｂの各々は、横断面形状が矩形である四角柱から構成されている。一対の支持柱１０ａ及び１０ｂは支持板８の上面に固定された下端から上方に相互に平行に且つ支持板８に対して実質上垂直に延びている。支持柱１０ａ及び１０ｂの高さは実質上同一で１０乃至２０ｃｍ程度よく、支持柱１０ａ及び１０ｂ間の間隔は２０乃至４０ｃｍ程度でよい。支持柱１０ａ及び１０ｂの下端は、適宜の接着剤を介した接着或いは締結ねじの如き適宜の締結具を使用した締結によって支持板８上に固着することができる。所望ならば、支持板８と一対の支持柱１０ａ及び１０ｂを一体に形成することもできる。
【００１３】
図１と共に図２を参照して説明を続けると、上記一対の支持柱１０ａ及び１０ｂの上端部には、相互に対向する面及び上面に開口された収納溝１２ａ及び１２ｂが形成されている。かかる収納溝１２ａ及び１２ｂの横断面形状は矩形でよい。収納溝１２ａ及び１２ｂの各々は、上方に向かって前方に２０乃至４０度程度であるのが好都合である傾斜角度αで傾斜せしめられているのが好ましい（その理由については、後に言及する）。
【００１４】
更に、図示の実施形態においては、一対の支持柱１０ａ及び１０ｂの一方である支持柱１０ａには収納溝１２ａ内に着脱自在に挿入されて収納溝１２ａの溝幅を局部的に低減する離脱抵抗片１４が付設されている。木材、合成樹脂或いは金属から形成することができる離脱抵抗片１４には、釣り糸の如き適宜の細線１６の一端が連結されており、細線１６の他端は支持柱１０ａの側面に連結されている。離脱抵抗片１４に対する細線１６の一端の連結は、例えば離脱抵抗片１４に形成した小孔に細線１６を挿通せしめて結び付けることによって実現することができ、支持柱１２ａの側面に対する細線１６の他端の連結は、例えば図２に図示する如く細線１６の他端部を巻付けた締結ねじ１８を支持柱１２ａの側面に締結することによって実現することができる。
【００１５】
図１及び図２と共に図３乃至図５を参照して説明を続けると、巻付き部材６は図１及び図３に示す状態、即ち真直に延在する状態、においてその長手方向中央部前面（即ち図６において右側面）に押圧力が作用すると、それ自身の形状復元特性に起因して図５に示すとおりのロール状態に変形することが重要である。図示の実施形態における巻付き部材６は、「記憶形状板ばね」或いは「パッチンプレス」と俗称されているばね鋼から形成された形状復元特性を有する部材から構成されている。特開２０１３−１０６９１４号公報に開示されている形態の巻付き部材、即ち複数個の帯状板ばねを単一の収納体に収納して構成された巻付き部材（バンド装置）も好都合に使用することができる。巻付き部材６は真直に延在する状態においては全体として帯形状であり、横断面においては中央部が両側縁部に対して幾分前方に突出せしめられている。巻付き部材６の両端縁は略半円形状であるのが好都合である。ばね鋼から形成されている巻付き部材６の少なくとも片面、図示の実施形態においては前面と後面との双方、には摩擦抵抗を増大せしめるために摩擦抵抗増大材２０が施されているのが好ましい。摩擦抵抗増大材２０を施して摩擦抵抗を増大せしめると、後述するとおりにして巻付き部材６が小動物の脚に巻付いた時に、小動物が脚をから巻付き部材６を離脱せんとしてしても、巻付き部材６が拡張されることが効果的に防止されて巻付き部材６の離脱が確実に防止される。摩擦抵抗増大材２０の好適例としては、ばね鋼製巻付き部材６の前面及び裏面に貼着することができる絶縁テープを挙げることができる。また、商品名「マジックテープ」として販売されている面状ファスナーも、摩擦抵抗増大材として好適に使用することができる。実質上真直に延在した状態における巻付き部材６の長さＬは上記支持柱１０ａ及び１０ｂ間の長さより幾分大きく、巻付き部材６の片端部が支持柱１０ａの収容溝１２ａ内に収容されると共に巻付き部材６の他端部が支持柱１２ｂの収容溝１２ｂ内に収容されることが重要である。巻付き部材６の厚さＴは収容溝１２ａ及び１２ｂの幅よりも幾分小さく、巻付き部材６の片端部が支持柱１０ａの収容溝１２ａ内に離脱自在に収容され、巻付き部材６の他端部が支持柱１０ｂの収納溝１２ｂ内に離脱自在に収容されることが重要である。巻付き部材６の幅Ｗは収容溝１２ａ及び１２ｂの上下方向高さと実質上同一或いはこれより幾分小さいのが好都合である。
【００１６】
上記巻付き部材６には片端部が巻付き部材６に連結される巻付き部材拘束手段２２が付設されている。かかる巻付き部材拘束手段２２は釣り糸の如き適宜の細線から構成することができ、その片端部は例えば巻付き部材６に形成された小孔に挿通して結び付けることによって巻付き部材６に連結される。巻付き部材拘束部材２２の他端部は、後に更に言及するとおり、本発明に従って構成される小動物捕獲器を配設する領域に存在する自然の木立或いは人工杭等の静止物に連結される。
【００１７】
上述したとおりの小動物捕獲器２の使用様式は次のとおりである。キョンの如き小動物が出現する場所の地面２４上に支持基台４を載置する。必要に応じて、適宜の固定手段によって支持基台４の支持版８を地面２４に固定することもできる。次いで、支持基台４の一対の支持柱１０ａ及び１０ｂ間に巻付き部材６を離脱自在に装着する。更に詳述すると、巻付き部材６の片端部を支持柱１０ａに形成されている収容溝１２ａ内に収容し、巻付き部材６の他端部を支持柱１０ｂに形成されている収容溝１２ｂ内に収容する。次に、支持柱１０ａに形成されている収容溝１２ａとこれに収容されている巻付き部材６の片端部との間に離脱抵抗片１４を挿入する。そして更に、片端部が巻付き部材６に連結されている巻付き部材拘束手段２２の他端部を近傍の自然の木立或いは人工杭子等の静止物に連結する。
【００１８】
キョンが小動物捕獲器２に接近し、キョンの片前脚２６の上下方向中間部が巻付き部材６の中央部前面に触れると、巻付き部材６の中央部前面に押圧力が加えられる。かくすると、巻付き部材６の他端部が支持柱１０ｂの収容溝１２ｂから離脱されると共に巻付き部材６の片端部が支持柱１０ａの収容溝１２ａから離脱される。そして、図７に図示如く、巻付き部材６はロール状態に復元してキョンの片前脚２６に巻付き、かくしてキョンが捕獲される。
【００１９】
一対の支持柱１０ａ及び１０ｂに形成されている収容溝１２ａ及び１２ｂが上述したとおり上方に向かって前方に傾斜角度αで傾斜している場合、巻付き部材６の前面も上方に向かって前方に傾斜角度αで傾斜することになり、前進するために持ち上げられたキョンの片前脚２６は巻付き部材６の前面に対して略平行な状態で巻付き部材６の前面に衝突することになり、かくしてキョンの片前脚２６よって巻付き部材６の前面に充分確実に押圧力が加えられる。
【００２０】
一対の支持柱１０ａ及び１０ｂ間に離脱自在に装着されている巻付き部材６の片端部が支持柱１０ａの収容溝１２ａから離脱されるのと実質上同時に巻付き部材６の他端部が支持柱１０ｂの収容溝１２ｂから離脱された場合、巻付き部材６は図５及び図７に図示するとおりロール状態に変形することなく、図６に図示するとおりのめがね状態に変形する傾向がある。そして、巻付き部材６がめがね状態に変形し場合には、巻付き部材６はキョンの片前脚２６に所要とおりに巻付くことができず、キョンの片前脚２６を確実に拘束することができない。然るに、図示の実施形態においては、支持柱１０ａの収容溝１２ａには離脱抵抗片１４が挿入される故に、巻付き部材６の片端部は、巻付き部材６の他端部が支持柱１０ｂの収容溝１２ｂから離脱された後に、若干の時間遅れて支持柱１０ａの収容溝１２ａから離脱され、それ故に巻付き部材６は確実にロール状態に変形され、キョンの片前脚２６に確実に巻付く。所望ならば、支持柱１０ａの収容溝１２ａ内に離脱抵抗片１４を挿入することに代えて、支持柱１０ａの収容溝１２ａの幅及び／又は深さを支持柱１０ｂの収容溝１２ｂの幅及び／又は深さよりも幾分小さく設定し、これによって巻付き部材６の片端部が、巻付き部材６の他端部が支持柱１０ｂの収容溝１２ｂから離脱された後に、若干の時間遅れて支持柱１０ａの収容溝１２ａから離脱されるようになすこともできる。更にまた、巻付き部材６の片端部の前面及び／又は後面上に適宜の部材を貼着し、これによって巻付き部材６の片端部が、巻付き部材６の他端部が支持柱１０ｂの収容溝１２ｂから離脱された後に、若干の時間遅れて支持柱１０ａの収容溝１２ａから離脱されるようになすこともできる。
【００２１】
図８には、本発明に従って構成された小動物捕獲器の他の好適実施形態が図示されている。キョンの如き捕獲するべき小動物は、山中から田畑が存在する里に降下してくることが多い。従って、図８に図示する如く、傾斜した地面２４に小動物捕獲器２を載置することが少なくない。この場合、一対の支持柱１０ａ及び１０ｂが支持基台４の支持板８に対して実質上垂直に起立する場合には、地面に対して一対の支持柱１０ａ及び１０ｂが、上方に向かって後方に傾斜して起立することになってしまう。図８に図示する実施形態においては、一対の支持柱１０ａ及び１０ｂは螺番部材２８を介して、支持板８に対する傾斜角度を調節自在に支持板８に装着されている。小動物捕獲器２を所要場所の傾斜地面上に載置する際には、支持板８に対して一対の支持柱１０ａ及び１０ｂを所要角度だけ前方に傾動し、例えば一対の支持柱１０ａ及び１０ｂが鉛直に延在する状態に設定し、支持柱１０ａ及び１０ｂの下面と支持板８との間に楔３０を介在せしめ、かくして一対の支持柱１０ａ及び１０ｂを所要状態に維持する。
【００２２】
添付図面を参照して本発明に従って構成された小動物捕獲器の好適実施形態について詳細に説明したが、本発明はかかる実施形態に限定されるものではなく、本発明の範囲を逸脱することなく種々の変形乃至修正が可能であることは多言を要しない。例えば、図示の実施形態においては、支持柱１０ａ及び１０ｂに収容溝１２ａ及び１２ｂを形成し、巻付き部材６の両端部を収容溝１２ａ及び１２ｂ内に収納することによって支持柱１０ａ及び１０ｂに巻付き部材６を理財自在に装着しているが、これに代えて支持柱１０ａ及び１０ｂに適宜のフック片（図示していない）を固定し、巻付き部材６の両端部をフック片に離脱自在に係止することによって支持柱１０ａ及び１０ｂに巻付き部材６を装着することもできる。
【符号の説明】
【００２３】
２：小動物捕獲器
４：支持基台
６：巻付き部材
８：支持板
１０ａ：支持柱
１０ｂ：支持柱
１２ａ：収容溝
１２ｂ：収容溝
１４：離脱抵抗片
１６：細線
１８：締結ねじ
２０：摩擦抵抗増大材
２２：巻付き部材拘束手段
２４：地面
２６：キョンの片前脚
２８：螺番部材
３０：楔
【図１】
2020130019.tif 000003
【図２】
2020130019.tif 000004
【図３】
2020130019.tif 000005
【図４】
2020130019.tif 000006
【図５】
2020130019.tif 000007
【図６】
2020130019.tif 000008
【図７】
2020130019.tif 000009
【図８】
2020130019.tif 000010